(57)【特許請求の範囲】
【請求項１】
遺骨粉末が含まれる樹脂製のメモリアル品を燃焼させて、当該メモリアル品から前記遺骨粉末を取り出し、前記取り出した遺骨粉末を樹脂に混入し、真空脱泡により硬化させて形成することを特徴とするメモリアル品の再利用方法。
【請求項２】
メモリアル品の燃焼は、樹脂を加熱して気化させ、引火させることを特徴とする請求項１記載のメモリアル品の再利用方法。
【請求項３】
燃焼させるメモリアル品は、破損したもの、又はデザインを変更するものを対象とする請求項１又は２記載のメモリアル品の再利用方法。
【請求項４】
遺骨粉末を樹脂に混入する際に、別の遺骨粉末を当該樹脂に加えることを特徴とする請求項１乃至３のいずれか記載のメモリアル品の再利用方法。
【請求項５】
メモリアル品の中に耐熱性の遺品がある場合に、樹脂を燃焼させた後に、前記遺品と遺骨粉末を取り出し、取り出した前記遺骨粉末を樹脂に混入する際に、前記遺品も前記樹脂に取り込むことを特徴とする請求項１乃至４のいずれか記載のメモリアル品の再利用方法。
【発明の詳細な説明】
【技術分野】
【０００１】
本発明は、故人又は死亡したペットのメモリアル品に係り、特に、遺骨を粉末にした樹脂製のメモリアル品を破損した場合などに再利用できるメモリアル品の再利用方法に関する。
【背景技術】
【０００２】
［従来の技術］
従来、遺骨を砕いて粉末（パウダー）にしたもの（遺骨粉末）を用いて、故人又は死亡したペットを偲ぶメモリアル品が製造されている。
【０００３】
［関連技術］
尚、関連する先行技術として、特開２００４−０３３６９２号公報「遺骨粉末収納墓石」（有限会社セレモニーフォート）［特許文献１］、特開２００４−０１６７１５号公報「仏像等の塑像及びその製造方法」（宮井茂嗣）［特許文献２］、特開２００２−２３８７３１号公報「遺骨仏の製造方法」（稲葉元昭）［特許文献３］、実用新案登録第３１８９０５５号公報「遺骨保持体」（萬代治文）［特許文献４］、実用新案登録第３０３５８４７号公報「仏壇」（平澤恒子）［特許文献５］がある。
【０００４】
特許文献１には、遺骨粉末収納墓石を合成樹脂で形成した遺骨粉末収納墓石が示されている。
特許文献２には、遺骨粉末を樹脂で固めて仏像等を製造することが示されている。
特許文献３には、遺骨粉を樹脂に混合させて遺骨仏を製造することが示されている。
特許文献４には、遺骨の骨灰又は粉末を樹脂で固めた第一層の上に情報表示のシートを載せ、透明な合成樹脂の第二層を形成した遺骨保持体が示されている。
特許文献５には、受台の上に前面に墓石部、背面に遺骨収容部が形成された仏壇が示されている。
【先行技術文献】
【特許文献】
【０００５】
【特許文献１】特開２００４−０３３６９２号公報
【特許文献２】特開２００４−０１６７１５号公報
【特許文献３】特開２００２−２３８７３１号公報
【特許文献４】実用新案登録第３１８９０５５号公報
【特許文献５】実用新案登録第３０３５８４７号公報
【発明の概要】
【発明が解決しようとする課題】
【０００６】
しかしながら、従来の遺骨粉末を用いたメモリアル品では、メモリアル品が破損した場合に、破損した部分を修理するにとどまり、遺骨粉末を再利用して新たなメモリアル品を形成することは考慮されていないという問題点があった。
【０００７】
更に、従来の遺骨粉末を用いたメモリアル品では、メモリアル品のデザインを変更したい場合にも、遺骨粉末を再利用して新たなデザインのメモリアル品を形成することは考慮されていないものであった。
【０００８】
本発明は上記実情に鑑みて為されたもので、遺骨粉末が含まれる樹脂製のメモリアル品が破損した場合又はメモリアル品のデザインを変更したい場合に、元のメモリアル品を再利用して新たなメモリアル品を形成できるメモリアル品の再利用方法を提供することを目的とする。
【課題を解決するための手段】
【０００９】
（メモリアル品の再利用方法）
上記従来例の問題点を解決するための本発明は、メモリアル品の再利用方法において、遺骨粉末が含まれる樹脂製のメモリアル品を燃焼させて、当該メモリアル品から遺骨粉末を取り出し、取り出した遺骨粉末を樹脂に混入し、真空脱泡により硬化させて形成することを特徴とする。
【００１０】
本発明は、上記メモリアル品の再利用方法において、メモリアル品の燃焼は、樹脂を加熱して気化させ、引火させることを特徴とする。
【００１１】
本発明は、上記メモリアル品の再利用方法において、燃焼させるメモリアル品は、破損したもの、又はデザインを変更するものを対象とする。
【００１２】
本発明は、上記メモリアル品の再利用方法において、遺骨粉末を樹脂に混入する際に、別の遺骨粉末を当該樹脂に加えることを特徴とする。
【００１３】
本発明は、上記メモリアル品の再利用方法において、メモリアル品の中に耐熱性の遺品がある場合に、樹脂を燃焼させた後に、遺品と遺骨粉末を取り出し、取り出した遺骨粉末を樹脂に混入する際に、遺品も樹脂に取り込むことを特徴とする。
【発明の効果】
【００１４】
（メモリアル品の再利用方法）
本発明によれば、遺骨粉末が含まれる樹脂製のメモリアル品を燃焼させて、当該メモリアル品から遺骨粉末を取り出し、取り出した遺骨粉末を樹脂に混入し、真空脱泡により硬化させて形成するメモリアル品の再利用方法としているので、メモリアル品が破損した場合、また、メモリアル品のデザインを変更したい場合には、元のメモリアル品を再利用できる効果がある。
【図面の簡単な説明】
【００１５】
【図１】第１のメモリアル品の概略図である。
【図２】第１のメモリアル品の製造方法を示す図である。
【図３】遺品を持ち上げる支持台７を示す図である。
【図４】第２のメモリアル品を示す図である。
【図５】第２のメモリアル品の製造方法を示す図である。
【図６】第２のメモリアル品における別の製造方法を示す断面説明図である。
【図７】第３のメモリアル品を示す概略図である。
【図８】第３のメモリアル品の製造方法を示す断面説明図である。
【図９】第２のメモリアル品の応用例を示す概略図である。
【発明を実施するための形態】
【００１６】
本発明の実施の形態について図面を参照しながら説明する。
［実施の形態の概要］
本発明の実施の形態に係るメモリアル品は、遺品が、遺骨粉末を樹脂で固めた半透明の本体部の内部に、本体部の底面から離れて位置するよう設置され、遺品を浮かせた状態で硬化させるようにしているので、遺品を立体的に見せることができ、遺骨粉末と遺品とを一体感のあるものにすることができるものである。
【００１７】
また、本発明の別の実施の形態に係るメモリアル品は、遺品を封入した遺骨粉末の本体部に遺骨粉末を樹脂で固めたオブジェ部を取り付け、そのオブジェ部は本体部より遺骨粉末の含有率を高くしたものとしているので、透明に近い本体部の中に遺品を浮かせた状態とすることで、遺品を立体的に見せることができ、更に遺骨粉末を多く用いたオブジェ部を本体部と一体化することで、故人を偲ぶメモリアルな商品とすることができるものである。
【００１８】
本発明の実施の形態に係るメモリアル品の製造方法は、型内の底面から離れて型の内部に位置するように遺品を設置し、当該型内に遺骨粉末を混入した樹脂を流し込み、遺品を封入して半透明の本体部を硬化させて形成したものであり、遺品を浮かせた状態として、遺品を立体的に見せることができ、遺骨粉末と遺品とを一体感のあるものにすることができるものである。
【００１９】
本発明の実施の形態に係るメモリアル品の再利用方法は、遺骨粉末を樹脂で固めたメモリアル品について樹脂部分を燃焼させ、遺骨粉末を取り出し、その遺骨粉末を新たな樹脂で固めてメモリアル品を形成するようにしているので、メモリアル品が破損した場合、また、メモリアル品のデザインを変更したい場合等には、元のメモリアル品から作成でき、メモリアル品を再利用できるものである。
【００２０】
［第１のメモリアル品：図１］
本発明の実施の形態に係る第１のメモリアル品（第１のメモリアル品）について図１を参照しながら説明する。図１は、第１のメモリアル品の概略図である。
第１のメモリアル品は、半透明の本体部１内で、本体部１の底面から離れて遺品２が位置するよう設置されるもので、遺品２が本体部１内で浮かせた状態で硬化して固定されたものとなっている。
尚、遺品２は、全体を本体部１内で浮かせてもよく、一部が本体部１の底辺に接触してその他の部分が浮き上がっている状態としてもよい。
【００２１】
本体部１は、遺骨を砕いて粉末状にした遺骨粉末を樹脂で固めた半透明のものである。図１では形状が立方体としたが、円柱、球体、その他様々な形状であってもよい。
本体部１を半透明にするためには、樹脂に対する遺骨粉末の含有率（遺骨粉末の配合比率又は遺骨粉末の濃度）を０．１％以上５％以下としている。好ましくは、含有率を０．１％以上３％以下にすることが望ましい。
遺骨粉末の含有率は、（遺骨粉末の量／樹脂の量）×１００で求められる。遺骨粉末の含有率は、重量比であっても、体積比であってもよい。
【００２２】
樹脂は、ポリエステル樹脂、ビニルエステル樹脂、エポキシ樹脂、アクリルウレタン樹脂、ポリイミド樹脂等の透明樹脂を用いる。尚、強度と市場価格を鑑みると、エポキシ樹脂又はアクリルウレタン樹脂を用いるのが望ましい。
また、本体部１を着色するために、樹脂に顔料（トナー）を含めるようにしてもよい。但し、着色したとしても半透明の特性を維持するために、含める顔料の量は遺骨粉末の量よりも少なくする。これにより、本体部１は、半透明性を保ちながら様々な色を付けることができる。
更に、ラメ感、キラキラした感じを演出するために、本体部１内に複数のメタルチップ、複数の貝殻の破片等を挿入して固めてもよい。
【００２３】
遺品２は、故人又は死亡したペットを偲ぶ物であり、例えば、結婚指輪、アクセサリ、ネクタイピン、遺骨、又は遺骨を加工したオブジェ（例えば、ハート型の形状のオブジェ）等である。
遺品２として写真を封入する場合には、写真を透明フィルムで覆い、ラミネート加工するか、透明のケースに入れるようにして、樹脂によって写真が劣化しないようにしておく。
【００２４】
［第１のメモリアル品の製造方法：図２］
次に、第１のメモリアル品の製造方法について図２を参照しながら説明する。図２は、第１のメモリアル品の製造方法を示す図である。
第１のメモリアル品の製造方法は、遺骨を砕いて粉末状の遺骨粉末を作製しておく。
【００２５】
次に、図２（ａ）に示すように、箱状の型３の上部に遺品２を吊り下げるための支柱４を設置し、支柱４に遺品２を細い透明な糸５で吊り下げて型３内に遺品２を宙に浮いた状態とする。支柱４は型３の上面を全て覆うものでないため、型３内に樹脂を流し込むことが可能である。
【００２６】
そして、エポキシ樹脂等の透明樹脂に遺骨粉末を混ぜたものを型３に流し込んで、本体部１を硬化させ、遺品２を本体部１内に封入して固定する。着色する場合には、目的の色の顔料（トナー）を混ぜるようにする。また、メタルチップ、貝殻の破片を含めるようにしてもよい。
【００２７】
ここで、本体部１を硬化させる際に、樹脂を攪拌しながら、図２（ａ）の全体を密閉する装置を用い、その装置内の空気をポンプで吸い出して真空脱泡を行う。樹脂が攪拌される時に、樹脂内に空気の泡が形成されるので、真空脱泡により、その泡を除去し、硬化後に泡の痕が残らないようにする。
本体部１が硬化すると、糸５を切って、支柱４を取り除き、型３から本体部１を取り出し、図２（ｂ）に示すように、第１のメモリアル品において本体部１の上面を仕上げ加工する。
【００２８】
糸５は、本体部１内で遺品２を固定するための技術である。糸５としては、化学繊維又は天然繊維の糸を用いるが、特に、ポリエステル製又はナイロン製の糸が望ましい。
特に、第１のメモリアル品の糸５は、細い透明な材料を用いているので、本体部１が硬化した場合には、一体になってしまい、目立たなくなる。
よって、本体部１内で遺品２が浮き上がった状態になり、遺品２を立体的に見せることができる。
【００２９】
［第１のメモリアル品における別の製造方法：図３］
また、第１のメモリアル品における別の製造方法について図３を参照しながら説明する。図３は、遺品を持ち上げる支持台７を示す図である。尚、図３（ａ）が概略図で、（ｂ）が側面図である。
支持台７は、遺品２を持ち上げて支持するもので、透明な樹脂又は遺骨粉末を混入した樹脂で形成され、型３内に設置される。本体部１となる遺骨粉末を混入した樹脂を封入する際に、遺品２が動かないように、遺品２を支持台７に接着剤等で固定するのが望ましい。また、支持台７も型３の底面に軽く接着してもよい。
【００３０】
尚、図３に示した支持台７の形状は、遺品２を斜めに保持するためにＬ字状となっているが、斜面を備えた三角柱、その三角柱の斜面部分を階段形状にしたもの等が考えられるが、遺品２を支持するものであれば、いかなる形状であってもよい。
【００３１】
支持台７は、透明な樹脂又は遺骨粉末を混入した樹脂で形成しているので、本体部１が硬化すると、本体部１と一体化して目立たなくなるものである。逆に、支持台７に着色等して目立つようにしてもよい。
また、本体部１を顔料（トナー）で着色したり、メタルチップや貝殻の破片を樹脂に含めてもよい。
よって、本体部１内において遺品２を浮かせた状態に見せることができ、遺品２を立体的に表現できる。
【００３２】
［第１のメモリアル品の効果］
第１のメモリアル品によれば、遺骨粉末を樹脂で固めた半透明の本体部１内で、本体部１の底面から離れて本体部１の内部に配置するよう遺品２を設置して、本体部１を硬化させ、固めたものとしているので、本体部１内で遺品２を浮かせて見せることができ、遺品２を立体的に表現でき、本体部１と遺品２とが一体感をもって組み合わされた商品にすることができる効果がある。
【００３３】
［第２のメモリアル品：図４］
次に、本発明の実施の形態に係る第２のメモリアル品（第２のメモリアル品）について図４を参照しながら説明する。図４は、第２のメモリアル品を示す図であり、図４（ａ）が正面概略図で、（ｂ）が側面外略図である。
第２のメモリアル品は、図４（ａ）（ｂ）に示すように、第１のメモリアル品にオブジェ部６を取り付けた構成となっている。
【００３４】
本体部１の上部の２箇所に遺品２を浮かせて設置しており、図４（ａ）に示すように、遺品２が見えるように、天使像のオブジェ部６を取り付けている。尚、遺品２の設置位置は、オブジェ部６の裏側であってもよく、任意である。
オブジェ部６は、遺骨粉末を混入した樹脂で形成されるが、本体部１に比べて遺骨粉末の含有率（遺骨粉末の配合比）が高くなっており、従って、本体部１に比べてオブジェ部６は透明度が低く、白色等となっている。
【００３５】
オブジェ部６は、樹脂の量を１００とすると、遺骨粉末の量を１００以上１３０以下（１００〜１３０）の重量比又は体積比としている。この重量比又は体積比であれば、全体として均等に白色又は灰色等になる（透明性はほとんどない）もので、遺骨粉末が薄い部分（薄い層）と遺骨粉末が濃い部分（濃い層）に分離するものではない。
【００３６】
尚、上述したように、樹脂の量：遺骨粉末の量＝１００：０．１〜５（０．１以上５以下）の重量比又は体積比であれば、遺骨粉末が薄く均一に含まれることになる。しかし、樹脂の量１００に[対して、遺骨粉末の量が、重量比又は体積比で「５」を超えて「１００」未満の範囲では、薄い層と濃い層が分離することになる。上記の範囲内で遺骨粉末の量に応じて薄い層と濃い層の割合が変化する。この薄い層と濃い層の分離を模様として用いて、オブジェ部６及び本体部１を形成するようにしてもよい。
また、オブジェ部６内にも、顔料（トナー）、金属片等のチップ（メタルチップ）、貝殻破片を含めるようにしてもよい。
【００３７】
［第２のメモリアル品の製造方法：図５］
次に、第２のメモリアル品の製造方法について図５を参照しながら説明する。図５は、第２のメモリアル品の製造方法を示す図である。
図５（ａ）に示すように、遺骨粉末を混入した樹脂を型に流し込んで、遺品２を封入した本体部１を形成する。本体部１の製造方法は、第１のメモリアル品と同様であるが、オブジェ部６を取り付け易いように、本体部１に凹部を形成しておく。
遺骨粉末を混入したオブジェ部６を硬化させて形成し、本体部１の凹部に接着剤等で貼り付ける。オブジェ部６も真空脱泡によって成形する。
【００３８】
［第２のメモリアル品の別の製造方法：図６］
次に、第２のメモリアル品における別の製造方法について図６を参照しながら説明する。図６は、第２のメモリアル品における別の製造方法を示す断面説明図である。
図６に示すように、オブジェ部６の凸形状に対応して形成された凹形状を有する型３´を予め形成しておき、オブジェ部６の形状部分に遺骨粉末を混入した第１の樹脂６ａを流し込む。
【００３９】
次に、支柱４に糸５で遺品２を吊り下げ、第１の樹脂６ａが硬化した後に、型３´内に遺骨粉末を混入した第２の樹脂１ａを流し込む。第１の樹脂６ａは、第２の樹脂１ａより遺骨粉末の含有率が高くなっている。例えば、第１の樹脂６ａは、樹脂の量：遺骨粉末の量＝１００：１００〜１３０であり、第２の樹脂１ａは、樹脂の量：遺骨粉末の量＝１００：０．１〜５となっている。
第２の樹脂１ａが硬化後に、糸５を切って支柱４を取り除き、型３´からオブジェ部６と本体部１が一体となった第２のメモリアル品を取り出す。
これにより、本体部１にオブジェ部６が形成されて、オブジェ部６と本体部１を一体化されることになる。
【００４０】
［第２のメモリアル品の効果］
第２のメモリアル品によれば、遺品２を封入し、遺骨粉末を混入した半透明の本体部１に、本体部１より遺骨粉末混合比が高いオブジェ部６を取り付けるようにしているので、遺品２は半透明の本体部１で立体的に見ることができ、更に遺骨粉末を多く用いた白色等のオブジェ部６を本体部１に接着して一体化し、若しくは本体部１にオブジェ部６を積層して一体化することで、故人を偲ぶメモリアルなものとすることができる効果がある。
【００４１】
［第３のメモリアル品：図７］
次に、本発明の実施の形態に係る第３のメモリアル品（第３のメモリアル品）について図７を参照しながら説明する。図７は、第３のメモリアル品を示す概略図であり、図７（ａ）が正面説明図で、（ｂ）が断面説明図である。
第３のメモリアル品は、図７（ａ）に示すように、古墳形状をしており、本体部１の上に段々に古墳の形状のオブジェ部６´が積み上げられた（積層された）ものとなっており、正面中央にメッセージが記載されたプレート８が埋め込まれている。
【００４２】
図７（ｂ）に示すように、本体部１には遺品２が封入されており、プレート８はオブジェ部６´の上側の層に封入されている。プレート８が本体部分１内又はオブジェ部６´の下層（本体部１に近い層）内に設けていないのは、遺骨粉末の樹脂層が厚くなるため、プレート８のメッセージが読みづらくなるのを防止するためである。
【００４３】
第３のメモリアル品では、オブジェ部６´が段々に積み重なるため、オブジェ部６´の各段（各層）における遺骨粉末の含有率を異なるものにしてもよい。この場合、オブジェ部６´の一つの層に本体部１の遺骨粉末の含有率より低いものがあってもよい。
また、各層に色を着色することも可能であり、オブジェ部６´の形状も古墳形状に限定するものではなく、様々な形状をデザインするようにしてもよい。
また、プレート設置の位置にプレートの代わりに遺品を設置してもよい。
【００４４】
［第３のメモリアル品の製造方法：図８］
第３のメモリアル品の製造方法について図８を参照しながら説明する。図８は、第３のメモリアル品の製造方法を示す断面説明図である。
図８に示すように、古墳形状のオブジェ部６´の凸形状に対応して型３´に凹形状を形成しておき、型３´内に遺骨粉末を混入した樹脂を流し込み、第１層目が硬化したらプレート８を配置し、第２層目、第３層目の樹脂を順に流し込んで硬化させ、本体部１に遺品２を設置した状態で樹脂を流し込んで硬化させる。
遺品２の設置は、図６で示した方法と同様の方法を用いるものとする。
【００４５】
［第３のメモリアル品の効果］
第３のメモリアル品によれば、オブジェ部６´を積層構造とするものであり、積層される形状を様々なものとすることで、変化に富み重みのあるデザインとすることができ、また、積層される各層に色を付けることで、複雑な色のメモリアル品とすることができる効果がある。
【００４６】
［応用例１／樹脂への加工］
第１のメモリアル品の本体部１、第２のメモリアル品の本体部１及びオブジェ部６に用いられる樹脂について、上述したように、樹脂に顔料（トナー）を入れることで、様々な色（スケルトン風も含めて）にすることができる。
また、石目チップを樹脂に入れることにより石目調や人工大理石風にすることができる。
また、金属片等のチップ（メタルチップ）を樹脂に入れることによりメタリック調にしたり、貝殻片を入れることもできる。
更に、樹脂を硬化させた後、文字や絵を彫刻するようにしてもよい。
【００４７】
［応用例２：図９］
次に、第２のメモリアル品を用いた応用例について図９を参照しながら説明する。図９は、第２のメモリアル品の応用例を示す概略図である。
図９に示すように、第２のメモリアル品を台座９に設置し、ガラスケース１０で覆ったものとなっている。つまり、オブジェ部６が天使像である第２のメモリアル品がガラスケース１０内に納まったものである。ガラスケース１０の代わりに、透明のプラスチックケースであってもよい。
【００４８】
［応用例３／再利用］
第１〜３のメモリアル品について、本体部１、オブジェ部６，６´が破損した場合には、本体部１とオブジェ部６，６´の樹脂を燃焼させ、含まれる遺骨粉末を取り出し、取り出した遺骨粉末を用いて新たなメモリアル品を形成する。但し、本体部内に含まれる遺品２に耐熱性があれば、遺品２の再利用が可能である。燃焼とは、樹脂を加熱して気化させ、引火させるものである。
【００４９】
上記の遺骨粉末の再利用は、メモリアル品が破損した場合に限らず、メモリアル品のデザインを変更したい場合にも行うことができ、メモリアル品をリニューアルできる効果がある。
更に、燃焼により遺骨粉末を取り出し、別の遺骨粉末を加えて新たなメモリアル品を形成することもできる。つまり、遺骨粉末を統合でき、また、メモリアル品を統合できる効果がある。
【産業上の利用可能性】
【００５０】
本発明は、遺骨粉末が含まれる樹脂製のメモリアル品が破損した場合又はメモリアル品のデザインを変更したい場合に、元のメモリアル品を再利用して新たなメモリアル品を形成できるメモリアル品の再利用方法に好適である。
【符号の説明】
【００５１】
１...本体部、  ２...遺品、  ３，３´...型、  ４...支柱、  ５...糸、  ６，６´...オブジェ部、  ７...支持台、  ８...プレート、  ９...台座、  １０...ガラスケース
【図１】
0005958925.tif 000002
【図２】
0005958925.tif 000003
【図３】
0005958925.tif 000004
【図４】
0005958925.tif 000005
【図５】
0005958925.tif 000006
【図６】
0005958925.tif 000007
【図７】
0005958925.tif 000008
【図８】
0005958925.tif 000009
【図９】
0005958925.tif 000010